【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
予め定められた特定遊技状態発生条件が成立したときに遊技者にとって有利な特定遊技状態に制御され、予め定められた特別遊技状態発生条件が成立したときに前記特定遊技状態とは異なる遊技者にとって有利な特別遊技状態に制御され、予め定められた予告条件が成立したときに、所定の遊技状態となることを予告する予告報知が行なわれる遊技機であって、
回転灯と、
該回転灯の動作状態を制御する回転灯制御手段とを備え、
前記回転灯は、
発光体が設けられた板状の発光体基板と、
該発光体基板の周りにおいて回転可能に設けられ、前記発光体からの光を反射させる反射体と、
駆動信号として用いられる周期的なパルスの周期に応じて、複数相の巻線を所定の順序で通電して周期的に励磁することにより、回転子を回転させ、該回転子の回転に基づいて、前記反射体を、前記発光体基板の周りにおいて回転させる態様で駆動するステッピングモータとを含み、
該回転灯制御手段は、
前記特別遊技状態であるときに、当該特別遊技状態である旨を報知する状態報知をするために、前記特別遊技状態である期間中において前記回転灯を継続的に駆動する制御を行なう状態報知制御手段と、
前記予告条件が成立したときに、前記予告報知をするために、前記回転灯を駆動する制御を行なう予告報知制御手段とを含み、
前記状態報知制御手段は、前記状態報知をするときに、前記予告報知制御手段により前記予告報知をするときと比べて、前記駆動信号におけるパルスの周期を長くし、かつ、前記駆動信号におけるパルスの１周期当りにおいて前記ステッピングモータを励磁する時間の割合を低くする制御を行なうことを特徴とする、遊技機。
【請求項２】
前記ステッピングモータにおける前記複数相の巻線のそれぞれにパラレルに前記パルスを供給するパラレル信号方式で、前記駆動信号を前記ステッピングモータに供給することにより、前記ステッピングモータを駆動するモータ駆動手段をさらに含み、
前記回転灯制御手段は、前記モータ駆動手段にシリアル信号方式の制御信号を供給し、
前記モータ駆動手段は、前記シリアル信号方式の制御信号を前記パラレル信号方式の駆動信号に変換することに基づいて、前記パラレル信号方式の前記駆動信号を供給することを特徴とする、請求項１に記載の遊技機。
【請求項３】
前記発光体基板は、表裏両面に前記発光体が設けられており、一方の面が遊技機の正面側を向いた態様で配置されていることを特徴とする、請求項１または２に記載の遊技機。
【請求項４】
前記状態報知制御手段は、前記状態報知をするときに、前記発光体基板において遊技機の背面側を向いた面に設けられた前記発光体を発光させる制御をさらに行なうことを特徴とする、請求項３に記載の遊技機。
【請求項５】
前記予告条件を成立させるか否かを判定する予告判定手段と、
該予告判定手段が前記予告条件を成立させると判定する確率を、前記状態報知が行なわれている期間中において、前記状態報知が行なわれていない期間中よりも低い確率に制限する予告制限手段とをさらに含むことを特徴とする、請求項１から４のいずれかに記載の遊技機。
【請求項６】
各々が識別可能な複数種類の識別情報の変動表示を行なって表示結果を導出表示し、前記特定遊技状態発生条件が成立するときに、変動表示の表示結果として予め定められた特定表示結果を導出表示する変動表示手段と、
前記状態報知が行なわれている期間中において、前記変動表示手段により実行された変動表示の回数を計数する変動表示回数計数手段と、
前記状態報知が行なわれている期間中において前記変動表示回数計数手段により計数された変動表示の回数に基づいて、前記予告判定手段が前記予告条件を成立させると判定する確率を変化させる予告確率変化手段とをさらに含むことを特徴とする、請求項５に記載の遊技機。
【請求項７】
第１の実行条件が成立した後、第１の開始条件が成立したことに基づいて、各々が識別可能な第１の識別情報による第１の変動表示を開始し表示結果を導出表示する第１変動表示手段と、
第２の実行条件が成立した後、第２の開始条件が成立したことに基づいて、各々が識別可能な第２の識別情報による第２の変動表示を開始し表示結果を導出表示する第２変動表示手段と、
前記第１変動表示手段または前記第２変動表示手段に予め定められた特定表示結果が導出表示されたときに前記特定遊技状態に制御する特定遊技制御手段と、
前記第１の実行条件または前記第２の実行条件の少なくとも一方が生じたか否かを共通の処理ルーチンで判定する実行条件判定手段とをさらに含むことを特徴とする、請求項１から６のいずれかに記載の遊技機。
【請求項８】
第１の実行条件が成立した後、第１の開始条件が成立したことに基づいて、各々が識別可能な第１の識別情報による第１の変動表示を開始し表示結果を導出表示する第１変動表示手段と、
第２の実行条件が成立した後、第２の開始条件が成立したことに基づいて、各々が識別可能な第２の識別情報による第２の変動表示を開始し表示結果を導出表示する第２変動表示手段と、
前記第１変動表示手段または前記第２変動表示手段に予め定められた特定表示結果が導出表示されたときに前記特定遊技状態に制御する特定遊技制御手段と、
前記第１変動表示手段および前記第２変動表示手段のそれぞれで実行される変動表示について、前記第１変動表示手段および前記第２変動表示手段のうち、前記開始条件が成立した変動表示手段における変動表示の表示結果を決定するための表示結果決定処理を共通の処理ルーチンにより実行し、前記第１変動表示手段および前記第２変動表示手段のうち、変動表示の開始条件が成立した変動表示手段における前記識別情報の表示結果を当該表示結果の導出表示前に決定する表示結果決定処理手段とをさらに含むことを特徴とする、請求項１から７のいずれかに記載の遊技機。
【請求項９】
第１の実行条件が成立した後、第１の開始条件が成立したことに基づいて、各々が識別可能な第１の識別情報による第１の変動表示を開始し表示結果を導出表示する第１変動表示手段と、
第２の実行条件が成立した後、第２の開始条件が成立したことに基づいて、各々が識別可能な第２の識別情報による第２の変動表示を開始し表示結果を導出表示する第２変動表示手段と、
前記第１変動表示手段または前記第２変動表示手段に予め定められた特定表示結果が導出表示されたときに前記特定遊技状態に制御する特定遊技制御手段と、
前記第１変動表示手段および前記第２変動表示手段のうち前記開始条件が成立した変動表示手段において実行される変動表示の変動表示時間を示すデータを前記第１変動表示手段および前記第２変動表示手段のいずれの開始条件が成立したときでも共通の記憶領域において記憶する変動表示時間記憶手段とをさらに含むことを特徴とする、請求項１から８のいずれかに記載の遊技機。
【請求項１０】
第１の実行条件が成立した後、第１の開始条件が成立したことに基づいて、各々が識別可能な第１の識別情報による第１の変動表示を開始し表示結果を導出表示する第１変動表示手段と、
第２の実行条件が成立した後、第２の開始条件が成立したことに基づいて、各々が識別可能な第２の識別情報による第２の変動表示を開始し表示結果を導出表示する第２変動表示手段と、
前記第１変動表示手段または前記第２変動表示手段に予め定められた特定表示結果が導出表示されたときに前記特定遊技状態に制御する特定遊技制御手段と、
前記第１変動表示手段における第１の変動表示および前記第２変動表示手段における第２の変動表示に対応する演出表示を行なう演出表示装置と、
前記第１変動表示手段での前記第１の変動表示について、前記第１の実行条件が成立しているが前記第１の開始条件が成立していない第１の実行条件の成立数を計数する第１計数手段と、
前記第２変動表示手段での前記第２の変動表示について、前記第２の実行条件が成立しているが前記第２の開始条件が成立していない第２の実行条件の成立数を計数する第２計数手段と、
前記第１変動表示手段および前記第２変動表示手段のうち、前記開始条件が成立した変動表示手段に対応する演出表示としての演出パターンを複数の演出パターンから選択する演出パターン選択手段とをさらに含み、
該演出パターン選択手段は、演出パターンを選択するときにリーチとするか否かの決定を行なうとともに、当該決定をするときには前記第１計数手段によって計数された成立数と前記第２計数手段によって計数された成立数との合計数が所定数以上のときに、当該合計数が所定数未満であるときに比べて低い確率で、リーチとすることに決定することを特徴とする、請求項１から９のいずれかに記載の遊技機。
【請求項１１】
前記演出パターン選択手段は、リーチとするか否かの決定をするときには前記第１計数手段によって計数された成立数と前記第２計数手段によって計数された成立数との合計数が所定数以上のときに、前記第１変動表示手段における第１の変動表示を実行するときと、前記第２変動表示手段における第２の変動表示を実行するときとで、リーチとすることに決定する確率を異ならせることを特徴とする、請求項１０に記載の遊技機。